(57)【特許請求の範囲】
【請求項１】
足場の支柱に幅木を装着するための足場用幅木クリップにおいて、
支柱よりも広い幅の間隔をあけて前後に向けて伸延する左右一対の基部を形成し、各基部の前端部に下方に向けて伸延して幅木を係止する幅木係止部を弾性変形可能に直角に折曲形成するとともに、各基部の後端部に下方に向けて伸延する中継部を弾性変形可能に直角に折曲形成し、両中継部の下端部間を支柱と係止する支柱係止部で連結し、支柱係止部は、支柱に沿って下方及び後方に向けて湾曲させて形成したことを特徴とする足場用幅木クリップ。
【請求項２】
前記幅木係止部は、幅木を挿入した断面凹字状のケースを介して幅木を支柱に向けて係止し、ケースは、内側に仕切壁を設けて幅木を挿入するための２個の幅木収容空間を形成し、各幅木収容空間を各幅木係止部で係止することを特徴とする請求項１に記載の足場用幅木クリップ。
【発明の詳細な説明】
【技術分野】
【０００１】
本発明は、足場の支柱に幅木を装着するための足場用幅木クリップに関するものである。
【背景技術】
【０００２】
従来より、家屋やビルなどの建造物を建築したり或いは保守したりするために、建造物の周囲に足場を組み立てて作業をするようにしている。
【０００３】
この足場は、上下に伸延する支柱（建地）に布材を直交させて取付けるとともに、布材に腕木材を直交させて取付け、腕木材の上部間に足場板を取付けている。
【０００４】
特に、近年においては、足場板から作業者の転落や工具類の落下などによる事故を防止するために、足場板の縁部に幅木を直交させて取付けることが義務付けられるようになっている。
【０００５】
従来、足場に幅木を取付けるには、幅木を支柱にボルト及びナットで締結する方法が広く行われているが、足場用幅木クリップを用いて足場の支柱に幅木を着脱自在に装着する方法も考案されている（たとえば、特許文献１参照。）。
【０００６】
この足場用幅木クリップは、支柱に装着する円環部の前側に支柱よりも狭い幅の開口部を形成し、開口部の前方に幅木を係止する左右一対の幅木係止部を形成する一方、円環部の後方に支柱を係止するための支柱係止部を形成している。
【先行技術文献】
【特許文献】
【０００７】
【特許文献１】実用新案登録第３１５１８７２号公報
【発明の概要】
【発明が解決しようとする課題】
【０００８】
ところが、上記従来の足場用幅木クリップでは、左右一対の幅木係止部を支柱よりも狭い幅に形成していたために、足場の支柱に幅木を装着するには、まず、開口部を支柱よりも幅が広くなるように広げた状態で幅木よりも上方で足場用幅木クリップを支柱に装着し、その後、足場用幅木クリップを下方に押し下げることによって幅木係止部で幅木を係止しなければならなかった。
【０００９】
そのため、上記従来の足場用幅木クリップでは、開口部を広げて支柱に装着する操作と幅木に向けて押し下げる操作の二段階の操作が必要であり、幅木を装着する作業が煩雑で作業性が悪いものであった。
【課題を解決するための手段】
【００１０】
そこで、請求項１に係る本発明では、足場の支柱に幅木を装着するための足場用幅木クリップにおいて、支柱よりも広い幅の間隔をあけて前後に向けて伸延する左右一対の基部を形成し、各基部の前端部に下方に向けて伸延して幅木を係止する幅木係止部を弾性変形可能に直角に折曲形成するとともに、各基部の後端部に下方に向けて伸延する中継部を弾性変形可能に直角に折曲形成し、両中継部の下端部間を支柱と係止する支柱係止部で連結し、支柱係止部は、支柱に沿って下方及び後方に向けて湾曲させて形成することにした。
【００１１】
また、請求項２に係る本発明では、前記請求項１に係る本発明において、前記幅木係止部は、幅木を挿入した断面凹字状のケースを介して幅木を支柱に向けて係止し、ケースは、内側に仕切壁を設けて幅木を挿入するための２個の幅木収容空間を形成し、各幅木収容空間を各幅木係止部で係止することにした。
【発明の効果】
【００１３】
そして、本発明では、以下に記載する効果を奏する。
【００１４】
すなわち、本発明では足場の支柱に幅木を装着するための足場用幅木クリップにおいて、支柱よりも広い幅の間隔をあけて前後に向けて伸延する左右一対の基部を形成し、各基部の前端部に下方に向けて伸延して幅木を係止する幅木係止部を弾性変形可能に折曲形成するとともに、各基部の後端部に下方に向けて伸延する中継部を弾性変形可能に折曲形成し、両中継部の下端部間を支柱と係止する支柱係止部で連結することにしているために、支柱係止部を支柱に当接させた状態で支柱係止部を支点としてクリップ全体を前方に向けて回転させるだけで足場の支柱に幅木を装着することができるので、簡単な操作で支柱に幅木を装着することができ、幅木を装着する作業を容易で作業性が良好なものとすることができる。
【００１５】
特に、支柱係止部を支柱に沿って下方及び後方に向けて湾曲させて形成した場合には、支柱係止部が円管状の支柱の外周面に沿って良好に面接触し、クリップ全体を安定して前方に向けて回転させることができ、作業性をより一層向上させることができる。
【００１６】
また、幅木を挿入した断面凹字状のケースを介して幅木係止部で幅木を支柱に向けて係止するように構成した場合には、幅木係止部で幅木を傷付けてしまうのを防止することができる。
【図面の簡単な説明】
【００１７】
【図１】足場用幅木クリップの使用状態を示す上面図（ａ）、背面図（ｂ）、左側面図（ｃ）、正面図（ｄ）。
【図２】足場用幅木クリップの各部の動きを示す説明図（ａ）、足場用幅木クリップの装着方法を示す説明図（ｂ）。
【図３】ケースを示す斜視図。
【図４】足場用幅木クリップの使用状態を示す上面図（ａ）、左側面図（ｂ）、正面断面図（ｃ）。
【図５】足場用幅木クリップの使用状態を示す上面図（ａ）、左側面図（ｂ）、正面断面図（ｃ）。
【発明を実施するための形態】
【００１８】
以下に、本発明に係る足場用幅木クリップの具体的な構成について図面を参照しながら説明する。
【００１９】
図１及び図２に示すように、足場用幅木クリップ１は、足場２の足場板３の縁部に幅木４を設ける際に足場２の円管状の支柱５に幅木４を着脱自在に装着するために使用される。
【００２０】
この足場用幅木クリップ１は、一本の円形断面を有する鋼製棒状の弾性体を屈曲形成したものであり、中途部に左右一対の基部6,7を形成するとともに、基部6,7の前端部に幅木４を係止するための左右一対の幅木係止部8,9を形成し、一方、基部6,7の後端部に左右一対の中継部10,11を形成し、左右の中継部10,11の間に支柱５を係止するための支柱係止部12を形成している。
【００２１】
左右の基部6,7は、前後方向に向けて直線状に伸延させて形成するとともに、支柱５よりも広い幅の間隔をあけて平行に形成している。
【００２２】
左右の幅木係止部8,9は、下方に向けて直線状に伸延させて形成するとともに、支柱５よりも広い幅の間隔をあけて平行に形成している。
【００２３】
この左右の幅木係止部8,9は、基部6,7の前端部において弾性変形可能に屈曲形成しており、基本的には基部6,7に対して直角に曲がっている（図２で実線で示す状態。）が、前後に力を作用させることで基部6,7に対して直角よりも広がった角度に曲げる（図２で一点鎖線で示す状態。）こともできるようになっている。なお、左右の幅木係止部8,9は、力が作用していないときには基部6,7に対して直角に曲がった状態（図２で実線で示す状態）に復元する。
【００２４】
また、左右の幅木係止部8,9は、幅木４の高さより短く形成するとともに、幅木４に装着した状態で下端部を支柱係止部12よりも下方に位置するようにしている。
【００２５】
左右の中継部10,11は、下方に向けて直線状に伸延させて形成するとともに、支柱５よりも広い幅の間隔をあけて平行に形成している。
【００２６】
この左右の中継部10,11は、基部6,7の後端部において弾性変形可能に屈曲形成しており、基本的には基部6,7に対して直角に曲がっている（図２で実線で示す状態。）が、前後に力を作用させることで基部6,7に対して直角よりも広がった角度に曲げる（図２で一点鎖線で示す状態。）こともできるようになっている。なお、左右の中継部10,11は、力が作用していないときには基部6,7に対して直角に曲がった状態（図２で実線で示す状態）に復元する。
【００２７】
支柱係止部12は、左右の中継部10,11の下端部間を連結しており、左右の中継部10,11の下端部から支柱５の円弧状外周面に沿って下方及び後方に向けて円弧状に湾曲させて形成している。
【００２８】
足場用幅木クリップ１は、以上に説明したように構成しており、以下に説明するようにして支柱５に幅木４を装着することができる。
【００２９】
まず、足場板３の縁部に幅木４を垂直に載置しておき、支柱５の外側から足場用幅木クリップ１を前方に移動させて左右の幅木係止部8,9の間に支柱５を挿通させるとともに支柱係止部12を支柱５の外側面に当接させる（図２（ｂ）で点線で示す状態。）。
【００３０】
その後、支柱係止部12を支点として左右の幅木係止部8,9を前側下方に向けて回転させると、左右の幅木係止部8,9が幅木４の上端部に当接しながら左右の基部6,7に対して左右の幅木係止部8,9と中継部10,11とが弾性変形して直角よりも広がった角度となり（図２（ｂ）で一点鎖線で示す状態。）、そのままさらに支柱係止部12を支点として左右の幅木係止部8,9を前側下方に向けて回転させると、左右の幅木係止部8,9が幅木４の内側面（前側面）に沿って当接した状態となり（図２（ｂ）で実線で示す状態。）、これにより、支柱係止部12で支柱５を係止するとともに左右の幅木係止部8,9で幅木４を係止し、足場用幅木クリップ１で支柱５と幅木４とを同時に挟圧し、支柱５に幅木４を装着することができる。
【００３１】
足場用幅木クリップ１を外す場合は、上記と逆方向の操作をすればよく、支柱係止部12を支点として左右の幅木係止部8,9を後側上方に向けて回転させる。このときにも、左右の幅木係止部8,9が幅木４の上端部に当接しながら左右の基部6,7に対して左右の幅木係止部8,9と中継部10,11とが弾性変形して直角よりも広がった角度となる（図２（ｂ）で一点鎖線で示す状態。）。
【００３２】
以上に説明したように、上記足場用幅木クリップ１は、支柱５よりも広い幅の間隔をあけて前後に向けて伸延する左右一対の基部6,7を形成し、各基部6(7)の前端部に下方に向けて伸延して幅木４を係止する幅木係止部8(9)を弾性変形可能に折曲形成するとともに、各基部6(7)の後端部に下方に向けて伸延する中継部10(11)を弾性変形可能に折曲形成し、両中継部10,11の下端部間を支柱５と係止する支柱係止部12で連結した構成となっている。
【００３３】
そのため、上記構成の足場用幅木クリップ１では、支柱係止部12を支柱５に当接させた状態で支柱係止部12を支点としてクリップ全体を前方に向けて回転させるだけで足場２の支柱５に幅木４を装着することができるので、簡単な操作で支柱５に幅木４を装着することができ、幅木４を装着する作業を容易で作業性が良好なものとすることができる。
【００３４】
しかも、上記足場用幅木クリップ１は、支柱係止部12を支柱５に沿って下方及び後方に向けて湾曲させて形成している。
【００３５】
そのため、上記構成の足場用幅木クリップ１では、支柱係止部12が円管状の支柱５の外周面に沿って良好に面接触し、クリップ全体を安定して前方に向けて回転させることができ、作業性をより一層向上させることができる。
【００３６】
足場用幅木クリップ１は、上述したように左右の幅木係止部8,9で幅木４を直接的に係止してもよいが、図３に示すケース13,14を介して図４又は図５に示すように左右の幅木係止部8,9で幅木４を間接的に係止するようにしてもよい。
【００３７】
図３（ａ）に示すケース13は、左右に伸延する断面凹字状の本体15の中途部内側に仕切壁16を取付けて、上方と左又は右側方とを開口させた幅木収容空間17,18を形成している。
【００３８】
そして、図４に示すように、左右の幅木収容空間17,18それぞれに幅木4,4を挿入し、上述したと同様にして左右の幅木係止部8,9でケース13を介して幅木４を支柱５に向けて係止することで、足場用幅木クリップ１を用いて支柱５に幅木４を装着するようにしている。
【００３９】
また、図３（ｂ）に示すケース14は、左右に伸延する断面凹字状の本体19の端部内側に仕切壁20を取付けて、仕切壁20の右側に上方と右側方とを開口させた幅木収容空間21を形成するとともに、本体19の端部外側に断面凹字状のコーナー22を取付けて、コーナー22の内側に上方と前側方とを開口させた幅木収容空間23を形成している。
【００４０】
そして、図５に示すように、足場板３の幅方向の端部に配置する幅木４を本体19の幅木収容空間21に挿入するとともに、上述したと同様にして足場板３の長さ方向の端部に配置する幅木４をコーナー22の幅木収容空間23に収容し、コーナー22の左右両側部において左右の幅木係止部8,9でケース14を介して幅木４を支柱５に向けて係止することで、足場用幅木クリップ１を用いて支柱５に幅木４を装着するようにしている。
【００４１】
このように、上記足場用幅木クリップ１では、幅木４を挿入した断面凹字状のケース13,14を介して幅木係止部8,9で幅木４を支柱５に向けて係止するように構成している。
【００４２】
そのため、上記構成の足場用幅木クリップ１では、幅木係止部8,9で幅木４の表面を傷付けてしまうのを防止することができ、これにより、足場用幅木クリップ１で幅木４を支柱５に強固に装着することができるとともに、幅木４の長寿命化を図ることができて同じ幅木４を繰り返し利用することができ、経済性を向上させることができる。
【符号の説明】
【００４３】
１  足場用幅木クリップ                ２  足場
３  足場板                            ４  幅木
５  支柱                              6,7  基部
8,9  幅木係止部                       10,11  中継部
12  支柱係止部                        13,14  ケース
15  本体                              16  仕切壁
17,18  幅木収容空間                   19  本体
20  仕切壁                            21  幅木収容空間
22  コーナー                          23  幅木収容空間
【図１】
0005479810.tif 000002
【図２】
0005479810.tif 000003
【図３】
0005479810.tif 000004
【図４】
0005479810.tif 000005
【図５】
0005479810.tif 000006